(57)【要約】スキンプリッカに関する改良。スキンプリッカはバネ負荷ランセット（５）を含むハウジング（１）を有し、前記ランセットがトリガ（９）により後方コック位置から解放されるときに、瞬時に前方へ突進して針（６）の尖端をハウジングの一端から突出させる。ランセット（５）は、次に、バネラチエット（１１，１６）によりコック位置へ再度復帰することを阻止される。コックは初期に針の尖端を覆いかつハウジングの一端へ延びたキャップ（７）により行なわれる。使用者はキャップ（７）を押してランセットを初期位置から後退させる。キャップ（７）により時期尚早にランセットが引っ張られることを阻止し、かつラチエットにより捕捉されて再度コックされるのを阻止するために、ランセット（５）は、初期位置からの相当量の前方運動がある場合にトリガ（９）の一部（１０）と係合する成形部（１３）を有する。ランセット（５）が発射するときに、トリガの一部（１０）は成形物（１３）を妨害しないようにシフトする。
2004518499.tif 000002
【特許請求の範囲】
【請求項１】
細長いハウジング、前記ハウジング内のランセット、前記ランセットがコック位置から解放されるときに前記ハウジングの前方端の孔へ針の尖端を瞬時に突出させるためにその前方端に向けて付勢されたバネ、および前記ハウジングにより担持されかつ前記ランセットと二つのモードで係合するトリガを含み、前記トリガは、第一モードにおいて前記ランセットの初期位置からの所定量の前方運動を拘束するがコック位置への前記ランセットの後退を可能にし、かつ第二モードにおいて前記トリガの作動が前記ランセットを解放するまで前記コック位置に前記ランセットを保持する、スキンプリッカ。
【請求項２】
前記ランセットは前記トリガとラチエット式に係合する部を有し、前記係合する部は前記ランセットが前記コック位置に達するときに前記トリガ上の歯を越えて係止する、請求項１に記載のスキンプリッカ。
【請求項３】
前記歯は、前記第一モードの拘束部として作用し、前記ランセット上の突起と共働して前記ランセットの前方運動を停止させるが、前記トリガが作動して前記ランセットを発射させるときに前記ランセットから逸れて上昇して前記ランセットの前方運動時に前記突起を妨害しないようにする、請求項２に記載のスキンプリッカ。
【請求項４】
取外可能キャップは、初期に、前記ランセットの尖端を覆いかつ前記ハウジングの孔に延在し、かつ前記ランセットをその初期位置から前記コック位置へ押し戻すことのできる手段として作用する、請求項１から３のいずれか１に記載のスキンプリッカ。
【請求項５】
前記ランセットをコックおよび解放後に再コックさせないための手段を更に含む、請求項１から４のいずれか１に記載のスキンプリッカ。
【請求項６】
前記ランセットを再コックさせないための手段は前記ランセットと前記ハウジング間のラチエット装置である、請求項５に記載のスキンプリッカ。
【請求項７】
前記ランセットは先端が後方を指すバネフィンガを有し、かつ前記ハウジングは前記フィンガと共働する歯を有し、前記ランセットの初期位置において前記フィンガは前記歯の先端に当接し、かつ前記ランセットが後方に押されるときに前記フィンガが前記歯の先端上を摺動し、かつ前記ランセットが発射されるときに、前記フィンガの先端は前記針の尖端が突出する前に前記歯を越えて前進し、かつ前方ランセットが再度後退して前記針の尖端を後退させるときに前記歯と当接する位置へ戻るように構成されている、請求項６に記載のスキンプリッカ。
【請求項８】
前記ハウジング内で対峙する歯と共働するフィンガが前記ランセットの両側に対称的に配置されている、請求項７に記載のスキンプリッカ。
【請求項９】
前記歯および前記フィンガは反転配置されていて、前記ハウジング上に少なくとも一つの前方に延びるフィンガを有し、かつ前記ランセット上に対応する歯を有する、請求項７または８のスキンプリッカ。
【発明の詳細な説明】
【０００１】
本発明はスキンプリッカに関する。本発明は、ランセットがそのハウジング内で針のキャップによりコック位置へ押し戻され、針のキャップが捩じり引っ張る動作により除去されてランセットを使用できる状態にするタイプのスキンプリッカに関する。ランセットが発射されるときに、針の尖端が瞬時に突出し、かつランセットの反動が針の尖端をハウジングへ撤退させる。例えば、使い捨てキャップを使用して、ランセットがコック位置へ再度正しく押し戻されるのを阻止する装置が設けられている。そのように、スキンプリッカは一回使用の装置であって使用後に廃棄されるものでなければならない。
【０００２】
かかる再使用を阻止する従来手段はバネラチエット機構である。組立てられたときに、ランセットは、バネラチエット機構がコック位置への後方運動に対して無効となる中間位置にある。しかし、発射後に、ランセットは組立位置から前進し、かつ針の尖端が突出する前に爪と歯のクリックを可能する。このように、針の尖端を後退させることができようにランセットの反動を阻止する。しかし、ランセットを再コックするために何らかの試みがなされる場合に、ランセットはバネラチエット機構により拘束される。
【０００３】
不注意な使用者が装置をコックする前に針のキャップを全く簡単かつ偶発的に引っ張ることがあるので、この従来法には問題がある。針のキャップはバネラチエット機構が係合するようにランセットを前方へ引っ張ることができる。従って、拘束されてコックできないランセットを備えた未使用スキンプリッカが存在することになる。
【０００４】
本発明の課題は、偶発的誤用を阻止することにある。
【０００５】
本発明によれば、スキンプリッカは、細長いハウジング、前記ハウジング内のランセット、前記ランセットがコック位置から解放されるときに前記ハウジングの前方端の孔へ針の尖端を瞬時に突出させるためにその前方端に向けて付勢されたバネ、およびトリガを含み、前記トリガは前記ランセットの初期位置からの所定量の前方運動を拘束するがコック位置へ前記ランセットを後退させる第一モード、および前記トリガの作動が前記ランセットを解放するまで前記コック位置に前記ランセットを保持する第二モードにおいて前記ランセットと係合する二つのモードで前記ハウジングにより担持されている。
【０００６】
好適には、前記ランセットは前記トリガとラチエット式に係合する部を有し、前記係合する部は前記ランセットが前記コック位置に達するときに前記トリガ上の歯を越えて係止するように構成されている。前記トリガ上の歯は、前記第一モードの拘束部として使用でき、前記ランセット上の突起と共働して前記ランセットの前方運動を停止させるが、前記トリガが作動して前記ランセットを発射させるときに前記ランセットから逸れて上昇して前記ランセットの前方運動時に前記突起を妨害しないように構成されている。
【０００７】
好適形態において、取外可能キャップは、初期に、前記ランセットの尖端を覆いかつ前記ハウジングの孔に延在し、かつ前記ランセットをその初期位置から前記コック位置へ押し戻すことのできる手段として作用する。
【０００８】
前記ランセットをコックしかつ解放した後に再コックさせないための手段が設けられてよい。至便には、前記ランセットを再コックさせないための手段は前記ランセットと前記ハウジング間のラチエット装置である。
【０００９】
一実施形態において、前記ランセットは先端が後方を指すバネフィンガを有し、かつ前記ハウジングは前記フィンガと共働する歯を有する。前記ランセットの初期位置において前記フィンガは前記歯の先端に当接し、かつ前記ランセットが後方に押されるときに前記フィンガが前記歯の先端上を摺動する。前記ランセットが発射されるときに、前記フィンガの先端は前記針の尖端が突出する前に前記歯を越えて前進し、かつ前方ランセットが再度後退して前記針の尖端を後退させるときに前記歯と当接する位置へ反動するように構成されている。このように、前記ランセットは拘束されてコック位置へ戻ることを阻止される。
【００１０】
好適には、前記ハウジング内で対峙する歯と共働するフィンガが前記ランセットの両側に各々有する対称的装置が設けられてよい。かかる対称的装置は、前記ランセットを二つの方法のいずれか一つで設置するときにその組立てを容易にする。
【００１１】
前記装置を反転させることができ、前記ハウジング上に前方へ延びたフィンガ、そして前記ランセット上に歯を有する構成であってよい。
【００１２】
以下、理解を容易にするために、添付図面を参照して例示として本発明の一実施形態について説明する。
【００１３】
スキンプリッカは細長い箱様のハウジング１を有し、ハウジング１は薄い一体的ウエブ４により長手側の一つに沿って蝶番式に結合された対応する半割部２および３により形成される。ハウジング１はランセット５を収容し、ランセット５は、初期に、細長いキャップ７により覆われた尖端を有する針６を包囲する成形プラスチック本体を有する。半割部２および３の前方端には切欠き８が形成されている。半割部２および３は結合することによりキャップ７が自由に移動できかつ装置が発射されるときに針の尖端が瞬時に突出する孔を形成する。ランセット５は、ハウジング１の後端と、孔８を有する反対端との間で作動する螺旋バネ（図示せず）により前方へ付勢されている。ランセット５の発射は半割部２と一体成形されたトリガ９の後端を押すことにより行なわれ、トリガ９はロッカ（ｒｏｃｋｅｒ）タイプであって前方端にハウジングへ突出する歯１０を有する。
【００１４】
半割部２は側壁上に対峙する二つの歯１１を有し、各歯１１は後側に浅いスロープを有しかつ前側に僅かな切欠きを有する。
【００１５】
ランセット５は針６の殆どを包囲する背骨（ｓｐｉｎｅ）１２を有する。長手の略中間で背骨１２は後方に尖端を向けた矢印頭部様の成形部１３に拡大している。成形部１３の前方には矩形板様の構造体を形成するウイング１４が設けられ、ウイング１４を横切る前エッジには後方へ尖端を向けた矢印頭状部を有する他の成形部１５が設けられている。ウイング１４の外後コーナからフィンガ１６が後方へ延び、フィンガ１６はその先端１７で外方へ曲折している。背骨１２の後端には螺旋バネの前方端を設置するマッシュルーム頭部１８がある。ランセット５は、装備理由から導入された小さい特徴部から概ね対称的に離隔していて、如何なる方法であるかを問わず、図１および２に示されたように、ハウジングに組立てられる。フィンガ１６の先端１７は歯１１の直ぐ背後にあり、かつトリガ９の歯１０は成形部１３の直ぐ前にある。
【００１６】
使用者がキャップ７を取り外そうとする場合を仮定すると、捩じって引っ張ることにより使用者はランセット５を僅かに前方へシフトさせるであろうが、この運動は成形部１３が歯１０と係合することにより拘束される。先端１７は歯１１上に乗らない。従って、キャップ７は自由に動くが、スキンプリッカは使用不可能であり、キャップの再挿入およびランセットの押し戻しに問題は生じない。通常、当然ながら、使用者はキャップ７を取り外す前に押し戻す。
【００１７】
ランセット５が後方へ移動するときに、フィンガ１６は単に歯１１の先端上方を摺動するだけである。しかし、成形部１５が歯１０に達する時に、共働するウエッジ様面がトリガ９を傾斜させ、歯１０は成形部１５にスナップ係止して、図３および４に示されたように、ランセットを後方コック位置に保持する。そこで、キャップ７は最後には除去され、スキンプリッカは皮膚に適用されかつトリガ９は付勢されてランセットを解放する。
【００１８】
発射によって、ランセットは図１および２の組立位置を越えて前方へ突進し、先端１７が歯１１にスナップ係止するときにフィンガ１６が内方へ撓むようにする。これは針の尖端が突出する直前に発生する。歯１０は成形部１３から逸れて保持され、かつそのようにしてランセット５の移動の最終部を妨害しない。尖端が突出した後には、ランセット５は戻らないが短距離だけ移動し、外方へ反動したフィンガの先端１７が歯１１と当接することにより拘束される。このようにしてスキンプリッカは再使用不可能になる。
【図面の簡単な説明】
【図１】
組立時のハウジング閉鎖前の本発明によるスキンプリッカの平面図である。
【図２】
図１のＩＩ−ＩＩ線上の断面図である。
【図３】
開放したハウジング内のコック状態のスキンプリッカを示す平面図である。
【図４】
図３のＩＶ−ＩＶ線上の断面図である。
【図５】
スキンプリッカのランセットを示す三つの図を示す。
【国際公開パンフレット】
2004518499.tif 000003
2004518499.tif 000004
2004518499.tif 000005
2004518499.tif 000006
2004518499.tif 000007
2004518499.tif 000008
2004518499.tif 000009
2004518499.tif 000010
2004518499.tif 000011
2004518499.tif 000012
2004518499.tif 000013
2004518499.tif 000014
2004518499.tif 000015
【国際調査報告】
2004518499.tif 000016
2004518499.tif 000017